(57)【要約】      （修正有）【課題】カバーの開閉をワンタッチキーを覆うカバーの開閉を検知するための複数の検知部の一部が故障した場合でも当該カバーの開閉を適切に判別してワンタッチキーの継続使用が可能になる電子機器を提供する。【解決手段】ファクシミリ装置１００では、第１のカバー開閉検知ＳＷ５の検知結果と第２のカバー開閉検知ＳＷ６の検知結果が一致しない場合、ユーザがカバーを開状態にしたときの検知結果を第１の検知結果とし、カバーを閉状態にしたときの検知結果を第２の検知結果として記憶する。そして、第１の検知結果と第２の検知結果が互いに一致しない場合、記憶された第１の検知結果と第２の検知結果に基づいてカバーの開閉状態を判定し、ワンタッチダイヤルキーの使用を継続するように制御する。【選択図】図１
2015005951.tif 000002
【特許請求の範囲】
【請求項１】
開閉するカバーと、前記カバーの開状態と閉状態に応じて機能を切り替えるキー入力手段とを備える電子機器において、
前記カバーの開閉を検知する複数の検知手段と、
前記複数の検知手段による検知結果が互いに一致しない場合に、前記カバーを開状態と閉状態にするように前記電子機器のユーザに指示する指示手段と、
前記指示手段による指示がなされた後に前記ユーザが前記カバーを開状態にしたときの前記複数の検知手段による検知結果を第１の検知結果とし、前記カバーを閉状態にしたときの前記複数の検知手段による検知結果を第２の検知結果として記憶する記憶手段と、
前記第１の検知結果と前記第２の検知結果が互いに一致しない場合は、前記記憶手段に記憶された前記第１の検知結果と前記第２の検知結果に基づいて前記カバーの開閉状態を判定し、前記キー入力手段の使用を継続するように制御する制御手段とを備えることを特徴とする電子機器。
【請求項２】
前記制御手段は、前記複数の検知手段による検知結果が互いに一致しない場合、前記キー入力手段の使用を中止するように前記ユーザに通知すると共に、前記キー入力手段によるキー入力を受け付けないように制御することを特徴とする請求項１に記載の電子機器。
【請求項３】
前記制御手段は、前記第１の検知結果と前記第２の検知結果が互いに一致しない場合、前記キー入力手段の使用を継続するかを前記ユーザに問い合わせ、前記キー入力手段の継続使用が選択されたときは、前記記憶手段に記憶された前記第１の検知結果と前記第２の検知結果に基づいて前記カバーの開閉状態を判定し、前記キー入力手段の使用を継続するように制御することを特徴とする請求項１または２に記載の電子機器。
【請求項４】
前記制御手段は、前記記憶手段に記憶された前記第１の検知結果と前記第２の検知結果に基づいて前記カバーの開閉状態を判定し、前記キー入力手段の使用を継続するようにした場合、前記ユーザに対して前記キー入力手段により同一のキーを２回入力させるようにして、２回入力されたキーに割り当てられた機能が一致したときは、当該機能を行うように制御することを特徴とする請求項１乃至３のいずれか１項に記載の電子機器。
【請求項５】
前記キー入力手段は、前記電子機器のワンタッチダイヤルキー、電子メール送信機器の電子メール送信宛先登録／指定キー、または、ファイル送信機器の送信宛先登録／指定キーのいずれかであることを特徴とする請求項１乃至４のいずれか１項に記載の電子機器。
【請求項６】
開閉するカバーと、前記カバーの開状態と閉状態に応じて機能を切り替えるキー入力手段とを備える電子機器の操作部の制御方法において、
前記カバーの開閉を検知する複数の検知手段による検知工程と、
前記複数の検知手段による検知結果が互いに一致しない場合に、前記カバーを開状態と閉状態にするように前記電子機器のユーザに指示する指示工程と、
前記指示工程による指示がなされた後に前記ユーザが前記カバーを開状態にしたときの前記複数の検知手段による検知結果を第１の検知結果とし、前記カバーを閉状態にしたときの前記複数の検知手段による検知結果を第２の検知結果として記憶手段に記憶する記憶工程と、
前記第１の検知結果と前記第２の検知結果が互いに一致しない場合は、前記記憶手段に記憶された前記第１の検知結果と前記第２の検知結果に基づいて前記カバーの開閉状態を判定し、前記キー入力手段の使用を継続するように制御する制御工程とを備えることを特徴とする制御方法。
【請求項７】
請求項６に記載の制御方法を電子機器に実行させるためのコンピュータに読み取り可能なプログラム。
【発明の詳細な説明】
【技術分野】
【０００１】
本発明は、電子機器及びその操作部の制御方法、並びにプログラムに関し、特に、操作部のワンタッチキーに登録された機能をワンタッチキーを覆うカバーの開閉で切り替えることが可能な電子機器に関する。
【背景技術】
【０００２】
従来のファクシミリやＭＦＰ等の電子機器では、カバーに覆われた複数のキーのそれぞれに割り当てられた機能をカバーの開閉によって切り替えるものがある（例えば、特許文献１参照）。また、ワンタッチダイヤルキーに割り当てられた宛先をカバーの右倒し／左倒しで切り替えるものがある（例えば、特許文献２参照）。
【０００３】
従来の電子機器には、カバーの開閉を検知するスイッチ等が故障した場合、カバーの現在位置が分からなくなるので、カバーの開閉を検知するスイッチ等を複数個持つものがある。カバーの開閉を検知するスイッチ等を複数個持つものは、それら複数のスイッチ等の一致状態を監視することで、当該スイッチ等の故障を検知することができる。
【先行技術文献】
【特許文献】
【０００４】
【特許文献１】特開平８−１７９８６４号公報
【特許文献２】特開２００３−０８６９６４号公報
【発明の概要】
【発明が解決しようとする課題】
【０００５】
しかしながら、上記従来技術では、カバーの開閉を検知するスイッチ等が故障した場合、カバーの現在位置が分からなくなる。そのため、例えば実際のカバーの位置が「開」であっても、カバーが「閉」の状態のときに割り当てられた機能が選択されたものと誤認識し、所望の機能を実現できないおそれがある。
【０００６】
また、カバーの開閉を検知するスイッチ等が故障したことを検知できても、スイッチ等の故障状態の詳細までは分からないため、カバーの開閉に依存した機能が使えなくなってしまう。例えば、ワンタッチダイヤルキーに割り当てた宛先をカバーが開いた状態のときの宛先にするか、カバーが閉じた状態のときの宛先にするかを決められないため、ワンタッチダイヤルキーに割り当てた宛先を使った機能を使用できなくなる。
【０００７】
本発明は、上記問題に鑑みて成されたものであり、ワンタッチキーを覆うカバーの開閉を検知するための複数の検知部の一部が故障した場合でも当該カバーの開閉を適切に判別してワンタッチキーの継続使用が可能になる技術を提供することを目的とする。
【課題を解決するための手段】
【０００８】
上記目的を達成するために、本発明の電子機器は、開閉するカバーと、前記カバーの開状態と閉状態に応じて機能を切り替えるキー入力手段とを備える電子機器において、前記カバーの開閉を検知する複数の検知手段と、前記複数の検知手段による検知結果が互いに一致しない場合に、前記カバーを開状態と閉状態にするように前記電子機器のユーザに指示する指示手段と、前記指示手段による指示がなされた後に前記ユーザが前記カバーを開状態にしたときの前記複数の検知手段による検知結果を第１の検知結果とし、前記カバーを閉状態にしたときの前記複数の検知手段による検知結果を第２の検知結果として記憶する記憶手段と、前記第１の検知結果と前記第２の検知結果が互いに一致しない場合は、前記記憶手段に記憶された前記第１の検知結果と前記第２の検知結果に基づいて前記カバーの開閉状態を判定し、前記キー入力手段の使用を継続するように制御する制御手段とを備えることを特徴とする。
【発明の効果】
【０００９】
本発明によれば、ワンタッチキーを覆うカバーの開閉を検知するための複数の検知部の一部が故障した場合でも当該カバーの開閉を適切に判別してワンタッチキーの継続使用が可能になる。
【図面の簡単な説明】
【００１０】
【図１】本発明の第１の実施形態に係る電子機器の概略構成を示すブロック図である。
【図２】図１における操作部のワンタッチダイヤルキー群周辺の外観図であり、（ａ）ワンタッチダイヤルキー群のカバーを閉じた状態の俯瞰図、（ｂ）ワンタッチダイヤルキー群のカバーを開けた態の俯瞰図である。
【図３】図２（ｂ）におけるワンタッチダイヤルキー周辺部のＡ−Ａ’面の断面図である。
【図４】第１の実施形態におけるワンタッチダイヤルキー機能の制御処理の流れを示すフローチャートである。
【図５】第１のカバー開閉検知ＳＷと第２のカバー開閉検知ＳＷのそれぞれの検知結果と実際のカバーの状態の関係を示す図である。
【図６】第１の実施形態において表示部に表示される表示画面の一例を示す図であり、（ａ）図４のステップＳ２０４で表示される画面、（ｂ）図４のステップＳ２０６で表示される画面、（ｃ）図４のステップＳ２０９で表示される画面である。
【図７】第１の実施形態において表示部に表示される表示画面の一例を示す図であり、（ａ）図４のステップＳ２１３で表示される画面、（ｂ）図４のステップＳ２１２で表示される画面である。
【図８】（ａ）〜（ｄ）カバーの開閉状態と２つのカバー開閉検知ＳＷの検知結果との関係を示す図である。
【図９】第２の実施形態におけるワンタッチダイヤルキー機能の制御処理の流れを示すフローチャートである。
【図１０】図９のステップＳ７１３で表示部に表示される表示画面の一例を示す図である。
【図１１】第３の実施形態におけるワンタッチダイヤルキー機能の制御処理の流れを示すフローチャートである。
【図１２】第３の実施形態において表示部に表示される表示画面の一例を示す図であり、（ａ）図１１のステップＳ９０５で表示される画面、（ｂ）図１１のステップＳ９１２で表示される画面である。
【発明を実施するための形態】
【００１１】
以下、本発明の実施の形態を図面を参照して詳細に説明する。
【００１２】
［第１の実施形態］
図１は、本発明の第１の実施形態に係る電子機器の概略構成を示すブロック図である。
【００１３】
１０９はＣＰＵで、ファクシミリ装置全体を制御するコントローラとして機能する。１１６はＤＲＡＭで、ＣＰＵ１０９が動作するためのシステムワークメモリであり、画像データを一時記憶するための画像メモリとしても使用される。
【００１４】
３０３はＲＯＭで、ブートＲＯＭとして機能し、システムのブートプログラムが格納されている。３２０はストレージメモリで、メインプログラム（ブータブルプログラム）が圧縮された状態で格納されている。ストレージメモリ３２０は主に、ＮＡＮＤ型フラッシュＲＯＭやハードディスクなどで構成される。
【００１５】
メインプログラム（ブータブルプログラム）はシステムのブートプログラムによりストレージメモリ３２０からＤＲＡＭ  １１６にロードされＣＰＵ１０９により圧縮状態を解凍／展開された後、同じくＣＰＵ１０９により実行される。従ってファクシミリ装置１００の制御は上記ＤＲＡＭ１１６に展開されたメインプログラム（ブータブルプログラム）に従ってＣＰＵ１０９が実行する。
【００１６】
８は操作部Ｉ／Ｆで、操作部１とＣＰＵ１０９との間のインターフェースとして機能し、操作部１に表示するデータを出力し、操作部１からユーザが入力操作した情報をＣＰＵ１０９に伝える役割をする。３０８はモデム（ＭＯＤＥＭ）で、公衆回線３０９に接続し、情報の入出力を行う。
【００１７】
以上のデバイスがシステムバス３１１上に配置され、システムバス３１１を介して情報をやり取りする。
【００１８】
３１０はイメージバスインターフェース（Ｉｍａｇｅ  ＢｕｓＩ／Ｆ）で、システムバス３１１と画像データを高速で転送する画像バス３１２を接続し、データ構造を変換するバスブリッジである。３１２は画像バスで、ＰＣＩバスなどの高速バスで構成される。なお、画像バス３１２上には後述するデバイスが配置される。３１３はデバイスＩ／Ｆ部で、画像入出力デバイスであるスキャナ３１５やプリンタ３１６と画像バス３１２を接続し、画像データの同期系／非同期系の変換を行う。
【００１９】
３１４は画像処理部で、入力画像データに対し補正、加工、編集を行い、プリント出力画像データに対して、プリンタの補正、解像度変換等を行う。
【００２０】
２は表示部であり、ファクシミリ装置１００の出力するメッセージや情報を表示するもので、液晶やタッチパネルなどのデバイスで構成される。３は入力キー群であり、ユーザ操作を受け付ける複数のキーであり、プッシュスイッチ部品などで構成される。前記表示部２がタッチパネルの機能も有する場合は、表示部２からもユーザ操作を受け付ける。
【００２１】
４はワンタッチダイヤルキー群であり、３と同じようにユーザ操作を受け付ける複数のキーであるが、特にワンタッチダイヤルキー（キー入力手段）としての役割に特化したもので、プッシュスイッチ部品などで構成される。
【００２２】
５はワンタッチダイヤルキー切り換えカバー（以後、単に「カバー」と呼ぶ）の開閉を検知するスイッチ（第１のカバー開閉検知ＳＷ）であり、後述する操作部コントローラ７の入力ポートに接続しており、プッシュスイッチ部品などで構成される。
【００２３】
６はカバーの開閉を検知するスイッチ（第２のカバー開閉検知ＳＷ）であり、第１のカバー開閉検知ＳＷ５とは独立した別のもので、後述する操作部コントローラ７の入力ポートに接続しており、プッシュスイッチ部品などで構成される。
【００２４】
７は操作部コントローラで、表示部２に表示情報を出力し、入力キー群３、ワンタッチダイヤルキー群４、第１のカバー開閉検知ＳＷ５、第２のカバー開閉検知ＳＷ６の状態を入力としている。操作部コントローラ７は図示しないＣＰＵなどのデバイスで構成される。操作部コントローラ７は操作部Ｉ／Ｆ８を介してＣＰＵ１０９と上記の各種情報をやり取りする。
【００２５】
図２（ａ）は、図１におけるワンタッチダイヤルキー群４のカバー１０を閉じた状態の俯瞰図である。図のようにワンタッチダイヤルキー群４として１２個の入力キーが配置されている。
【００２６】
図２（ｂ）は、ワンタッチダイヤルキー群のカバーを開けた態の俯瞰図である。
【００２７】
図２（ｂ）において、１０はカバーであり、図の上側辺を軸として開閉する仕組みである。４ａはワンタッチダイヤルキー群４の内の１つの入力キーであり、カバー１０を閉じた状態ではワンタッチダイヤル番号「０１」として、カバー１０を開けた状態ではワンタッチダイヤル番号「０９」として、それぞれに宛先を登録できる。
【００２８】
１５はワンタッチダイヤルキー群４を覆う外装である。１１，１２はカバー１０の内側に設けられた突起であり、１３，１４は外装１５に設けられた開口部である。突起１２はカバー１０が閉じられたとき、開口部１３を通じて第１のカバー開閉検知ＳＷ５を押すように構成されている。同様に、突起１１はカバー１０が閉じられたとき、開口部１４を通じて第２のカバー開閉検知ＳＷ６を押すように構成されている。
【００２９】
図３は、図２（ｂ）におけるワンタッチダイヤルキー周辺部のＡ−Ａ’面の断面図である。なお、図２（ｂ）ではカバー１０が開状態になっているが、図３ではカバー１０が閉じかけている状態になっている。
【００３０】
１６は、第１のカバー開閉検知ＳＷ５や第２のカバー開閉検知ＳＷ６を実装する操作部基板である。図示の様に第１のカバー開閉検知ＳＷ５や第２のカバー開閉検知ＳＷ６の真上に開口部１３，１４が配置されている。
【００３１】
第１のカバー開閉検知ＳＷ５と第２のカバー開閉検知ＳＷ６は、カバー１０が閉じて突起１１，１２に押されたときに電気的ＯＮ状態となり、それぞれが操作部コントローラ７の入力ポートに（ＯＮ）信号を出力する。一方、カバー１０が開いて突起１１，１２に押されないときは電気的ＯＦＦ状態となり、信号が出力されない。
【００３２】
図４は、第１の実施形態におけるワンタッチダイヤルキー機能の制御処理の流れを示すフローチャートである。本処理は、上述したように、ＣＰＵ１０９がＤＲＡＭ１１６に展開されたメインプログラム（ブータブルプログラム）に従って実行する。
【００３３】
まず、ステップＳ２０１では、ＣＰＵ１０９は、ワンタッチダイヤルキー群４のうちのいずれかのキーが押下されたかどうかを判定する。具体的には、操作部コントローラ７からのキー押下を示す情報が届くのをＣＰＵ１０９が待っている状態である。
【００３４】
次に、ワンタッチダイヤルキー群４のうちのいずれかのキーが押下されたことを検知すると、ステップＳ２０２に進み、ＣＰＵ１０９は、第１のカバー開閉検知ＳＷ５の検知結果と第２のカバー開閉検知ＳＷ６の検知結果が一致するか否かを判定する。第１のカバー開閉検知ＳＷ５と第２のカバー開閉検知ＳＷ６のそれぞれの検知結果と実際のカバーの状態の関係を図５に示す。
【００３５】
第１のカバー開閉検知ＳＷ５の検知結果と第２のカバー開閉検知ＳＷ６の検知結果が一致している場合、すなわち、ＯＮ−ＯＮまたはＯＦＦ−ＯＦＦの場合には、第１のカバー開閉検知ＳＷ５と第２のカバー開閉検知ＳＷ６が正常に動作していると考えられる。そのため、実際のカバーの開閉状態を正しく検出できていると言える。一方、ＯＮ−ＯＦＦまたはＯＦＦ−ＯＮの場合には、第１のカバー開閉検知ＳＷ５または第２のカバー開閉検知ＳＷ６の故障が考えられる。
【００３６】
図４に戻り、ステップＳ２０２で第１のカバー開閉検知ＳＷ５の検知結果と第２のカバー開閉検知ＳＷ６の検知結果が一致していると判定した場合は、ＣＰＵ１０９は、通常のワンタッチダイヤルキーが押下されたときに実行する処理を行う（ステップＳ２０３）。例えば、ワンタッチダイヤルキー群４のうちの１つの入力キー４ａが押下された場合、図２（ａ）のようにカバー１０が閉状態のときはワンタッチダイヤル番号「０１」に登録された宛先が指定されたものとして処理が実行される。一方、図２（ｂ）のように、カバー１０が開状態のときはワンタッチダイヤル番号「０９」に登録された宛先が指定されたときの処理が実行される。なお、図示しないが、ステップＳ２０３以降で例えばファクシミリ送信を行い、再び別の宛先にファクシミリを送信する準備が整うと、本処理のステップＳ２０１に戻ってくるものとする。
【００３７】
一方、ステップＳ２０２で第１のカバー開閉検知ＳＷ５の検知結果と第２のカバー開閉検知ＳＷ６の検知結果が一致していないと判定した場合、ステップＳ２０４に進む。
【００３８】
ステップＳ２０４では、ＣＰＵ１０９は、ファクシミリ装置１００の異常を示す画面を表示部２に表示して、ワンタッチダイヤルキーの使用を中止するようにユーザに通知する。ステップＳ２０４で表示部２に表示され画面の一例を図６（ａ）に示す。画面６０１には「故障校正」ボタン６０１ａが表示されている。なお、ステップＳ２０４では、ＣＰＵ１０９がワンタッチダイヤルキーによる宛先指定をできないように、ワンタッチダイヤルキーの入力を受け付けないように構成してもよい。
【００３９】
図４に戻り、ＣＰＵ１０９は、表示されている画面６０１の「故障表示」ボタン６００の押下を検知すると、ステップＳ２０６に進む。
【００４０】
ステップＳ２０６では、ＣＰＵ１０９は、図６（ｂ）に示す画面６０２を表示部２に表示し、ファクシミリ装置１００を操作しているユーザに対して、カバー１０を開けた状態にしてから「ＯＫ」ボタン６０２ａを押下するように指示する。
【００４１】
ステップＳ２０７では、ＣＰＵ１０９は、ファクシミリ装置１００を操作しているユーザが「ＯＫ」ボタン６０２ａを押下するのを待つ。「ＯＫ」ボタン６０２ａが押下されたことを検知すると、ステップＳ２０８に進む。
【００４２】
ステップＳ２０８では、ＣＰＵ１０９は、第１のカバー開閉検知ＳＷ５の検知結果と第２のカバー開閉検知ＳＷ６の検知結果のそれぞれをストレージメモリ３２０等の不揮発なメモリに記憶する。ストレージメモリ３２０等に記憶される情報の形式を図８（ａ）〜図８（ｄ）に示す。本実施形態では、実際のカバーの状態、第１のカバー開閉検知ＳＷ５の検知結果、第２のカバー開閉検知ＳＷ６の検知結果、及びカバーの状態の判定で構成される。ステップＳ２０８では、カバー１０が開いた状態（ＯＰＥＮ状態）のときの第１のカバー開閉検知ＳＷ５の検知結果と第２のカバー開閉検知ＳＷ６の検知結果が「新ＯＰＥＮ状態」として記憶される。
【００４３】
次に、ステップＳ２０９では、ＣＰＵ１０９は、図６（ｃ）に示す画面６０３を表示部２に表示し、ファクシミリ装置１００を操作しているユーザに対して、カバー１０を閉じた状態にしてから「ＯＫ」ボタン６０３ａを押下するように指示する。
【００４４】
ステップＳ２１０では、ＣＰＵ１０９は、ファクシミリ装置１００を操作しているユーザが「ＯＫ」ボタン６０３ａを押下するのを待つ。「ＯＫ」ボタン６０３ａが押下されたことを検知すると、ステップＳ２１１に進む。
【００４５】
ステップＳ２１１では、ＣＰＵ１０９は、第１のカバー開閉検知ＳＷ５の検知結果と第２のカバー開閉検知ＳＷ６の検知結果を確認のそれぞれをストレージメモリ３２０等の不揮発なメモリに記憶する。ストレージメモリ３２０等に記憶される情報の形式は図８（ａ）〜図８（ｄ）に示す通りである。ステップＳ２１１では、カバー１０が閉じた状態（ＣＬＯＳＥ状態）のときの第１のカバー開閉検知ＳＷ５の検知結果と第２のカバー開閉検知ＳＷ６の検知結果が「新ＣＬＯＳＥ状態」として記憶される。
【００４６】
ステップＳ２１２では、ＣＰＵ１０９は、ステップＳ２０８で記憶した２つのカバー開閉検知ＳＷの検知結果（第１の検知結果）と、ステップＳ２１１で記憶した２つのカバー開閉検知ＳＷの検知結果（第２の検知結果）とを比較する。この比較結果から、第１の検知結果と第２の検知結果が同じである場合は、カバー１０を開けた状態と閉じた状態を識別することはできないので、ステップＳ２１３に進む。
【００４７】
ステップＳ２１３では、ＣＰＵ１０９は、図７（ｂ）に示す画面７０２を表示部２に表示し、これ以降ワンタッチダイヤルキーを使用不可とする。
【００４８】
一方、ステップＳ２１２での比較の結果から第１の検知結果と第２の検知結果が異なる場合、カバー１０の開閉状態を、第１のカバー開閉検知ＳＷ５の検知結果と第２のカバー開閉検知ＳＷ６の検知結果によって識別できるため、ステップＳ２１４に進む。
【００４９】
ステップＳ２１４では、ＣＰＵ１０９は、図７（ａ）に示す画面７０１を表示部２に表示する。そして、これ以降は、ワンタッチダイヤルキーを使用可能し、カバー１０の開閉判定が図８（ａ）〜図８（ｄ）のいずれかに基づいて行われる。
【００５０】
上記第１の実施形態によれば、ワンタッチダイヤルキーを覆うカバーの開閉を検知するための複数の検知部の一部が故障した場合でも当該カバーの開閉を適切に判別し、ワンタッチダイヤルキーの継続使用が可能になる。その結果、操作部の修理を直ちに行うことなく、継続してワンタッチダイヤルキーに割り当てられた宛先をカバーの開閉に応じて正しく切り替えて使用することがきる。
【００５１】
［第２の実施形態］
本発明の第２の実施の形態では、図１〜図３に示す構成が上記第１の実施の形態と同じであり、第１の実施の形態と同様の部分については、同一の符号を用いてその説明を省略する。以下に、上記第１の実施の形態と異なる点のみを説明する。
【００５２】
本第２の実施形態は、図４のステップＳ２１２の後に、ファクシミリ装置１００を操作しているユーザに対して、引き続きワンタッチダイヤルキーを使用するかどうかを確認する処理が追加されている。
【００５３】
図９は、本発明の第２の実施形態におけるワンタッチダイヤルキー機能の制御処理の流れを示すフローチャートである。なお、図９のステップＳ７０１〜Ｓ７１２，ステップＳ７１５は、図４のステップＳ２０１〜Ｓ２１２、ステップＳ２１４と同様な処理であり、それらの説明を省略する。
【００５４】
ステップＳ７１３では、ＣＰＵ１０９は、カバー１０の開閉状態を第１のカバー開閉検知ＳＷ５の検知結果と第２のカバー開閉検知ＳＷ６の検知結果によって識別できる。そこで、ＣＰＵ１０９は、図１０に示すような、ワンタッチダイヤルキーの使用を継続するかを確認するための画面１００１を表示部２に表示する。
【００５５】
次に、ステップＳ７１４では、ＣＰＵ１０９は、画面１００１上の「はい」ボタン１００１ａと「いいえ」ボタン１００１ｂの押下を判定し、「いいえ」ボタン１００１ｂが押下された場合はステップＳ７１３に進む。ステップＳ７１３では、図４におけるステップＳ２１３と同様な動作を行う。
【００５６】
一方、ステップＳ７１４で「はい」ボタン１００１ａが押下され、ワンタッチダイヤルキーの継続使用が選択された場合はステップＳ７１６に進む。ステップＳ７１６は、図４におけるステップＳ２１４と同等の処理を実行する。但し、ワンタッチダイヤルキーを使用することはファクシミリ装置１００を操作しているユーザに了承されているため、図６（ａ）に示す画面は表示しない。
【００５７】
上記第２の実施形態によれば、上記第１の実施形態における効果に加えて、ユーザにワンタッチダイヤルキーの継続使用の確認を行うので、ユーザの利便性を向上させることができる。
【００５８】
［第３の実施形態］
本発明の第３の実施の形態では、図１〜図３に示す構成が上記第１の実施の形態と同じであり、上記第１及び第２の実施形態と同様の部分については、同一の符号を用いてその説明を省略する。以下に、上記第１及び第２の実施形態と異なる点のみを説明する。
【００５９】
本第３の実施形態は、上記第１の実施形態及び第２の実施形態に加え、「新ＯＰＥＮ状態」及び「新ＣＬＯＳＥ状態」を記憶してワンタッチダイヤルキーを使用可能にした後は、ワンタッチダイヤルキーの押下で宛先を必ず２度入力させるようにしたものである。
【００６０】
図１１は、本発明の第３の実施形態におけるワンタッチダイヤルキー機能の制御処理の流れを示すフローチャートである。なお、上記第１の実施形態及び第２の実施形態において、「新ＯＰＥＮ状態」及び「新ＣＬＯＳＥ状態」を記憶してワンタッチダイヤルキーを使用可能にするまでは同様の処理であるため、それらの説明を省略する。
【００６１】
まず、ステップＳ９０１では、ＣＰＵ１０９は、ワンタッチダイヤルキー群４のうちのいずれかのキーが押下されたか否かを判定する。ワンタッチダイヤルキー群４のうちのいずれかのキーが押下されたことを検知すると、ＣＰＵ１０９は、カバーの開閉状態が「新ＯＰＥＮ状態」なのか、「新ＣＬＯＳＥ状態」なのかを判定する（ステップＳ９０２）。ステップＳ９０２の判定方法は、例えば、図２のステップＳ２０８やステップＳ２１１で記憶された第１の検知結果や第２の検知結果に基づいて行われる。
【００６２】
ＣＰＵ１０９は、カバーの開閉状態が「新ＯＰＥＮ状態」であると判定した場合、ステップＳ９０４に進み、カバー１０が開いた状態で押下されたキーに登録してある宛先を一旦記憶する。一方、カバー１０の開閉状態が「新ＣＬＯＳＥ状態」であると判定した場合はステップＳ９０３に進み、ＣＰＵ１０９は、カバー１０が閉じた状態で押下されたキーに登録してある宛先を一旦記憶する。
【００６３】
次に、ステップＳ９０５では、ＣＰＵ１０９は、宛先をもう一度入力するように指示する画面を表示部２に表示する。表示部２に表示される画面の一例を図１２（ａ）に示す。
【００６４】
次に、ＣＰＵ１０９は、ステップＳ９０１と同様に、ワンタッチダイヤルキー群４のうちのいずれかのキーが押下されたか否かを判定する。ワンタッチダイヤルキー群４のうちのいずれかのキーも押下されなかった場合、ＣＰＵ１０９は、図１１（ａ）に示す画面１２０１上の「キャンセル」ボタン１２０１ａが押下されたか否かを判定する。「キャンセル」ボタン１２０１ａが押下された場合は、ステップＳ９０１に戻る。
【００６５】
一方、ワンタッチダイヤルキー群４のうちのいずれかのキーが押下されたことを検知すると、ＣＰＵ１０９は、ステップＳ９０８〜Ｓ９１０において、ステップＳ９０２〜Ｓ９０４と同様の処理を行う。
【００６６】
次に、ステップＳ９１１では、ＣＰＵ１０９は、ステップＳ９０２〜Ｓ９０４の処理で一旦記憶した宛先（第１の宛先）と、ステップＳ９０８〜Ｓ９１０の処理で一旦記憶した宛先（第２の宛先）とを比較し、それらが同じ宛先であるかを判定する。この判定結果から、２つの宛先が異なる場合、ステップＳ９１２に進み、ＣＰＵ１０９は、図１１（ｂ）に示す画面１２０２上にポップアップ画面１２０２ａを一定時間表示した後、ステップＳ９０５に戻り、再度（２回目の）宛先入力を要求する。
【００６７】
一方、ステップＳ９１１での判定の結果、２つの宛先が同じである場合、その宛先に対してファクシミリの送信処理を実行するための処理へ進む。
【００６８】
上記第３の実施形態によれば、記憶された第１の検知結果と第２の検知結果に基づいてカバー１０の開閉状態を判定し、ワンタッチダイヤルキーの使用を継続するようにした場合、ユーザに対してワンタッチダイヤルキーにより同一のキーを２回入力させる。そして、２回入力されたキーに割り当てられた機能が一致したときは、当該機能を行うように制御する。これにより、上記第１または第２の実施形態の効果に加えて、ワンタッチダイヤルキーを覆うカバーの開閉を検知するための複数の検知部の一部が故障した場合でも、当該ワンタッチダイヤルキーの使用による誤送信を防止することができる。
【００６９】
上記第１から第３の実施形態では、本発明をファクシミリ装置に適用した実施形態について説明したが、これに限定されるものではない。カバーの開状態と平状態に応じて機能を切り替えるワンタッチキーを備えるものであれば、どのような電子機器であってもよい。
【００７０】
また、ファクシミリ装置のワンタッチダイヤルキーについて説明したが、電子メール送信機器の電子メール送信宛先登録／指定キーやファイル送信機器の送信宛先登録／指定キーであってもよい。
【００７１】
また、本発明は、以下の処理を実行することによっても実現される。即ち、上述した実施形態の機能を実現するソフトウェア（プログラム）を、ネットワークまたは各種記憶媒体を介してシステム或いは装置に供給し、そのシステム或いは装置のコンピュータ（またはＣＰＵやＭＰＵ等）がプログラムを読み出して実行する処理である。
【符号の説明】
【００７２】
１  操作部
２  表示部
３  人力キー群
４  ワンタッチダイヤル群
５  第１のカバー開閉検知ＳＷ
６  第２のカバー開閉検知ＳＷ
７  操作部コントローラ
１０  カバー
１１，１２  突起
１００  ファクシミリ装置
【図１】
2015005951.tif 000003
【図２】
2015005951.tif 000004
【図３】
2015005951.tif 000005
【図４】
2015005951.tif 000006
【図５】
2015005951.tif 000007
【図６】
2015005951.tif 000008
【図７】
2015005951.tif 000009
【図８】
2015005951.tif 000010
【図９】
2015005951.tif 000011
【図１０】
2015005951.tif 000012
【図１１】
2015005951.tif 000013
【図１２】
2015005951.tif 000014